(57)【要約】      （修正有）【課題】密封性、強度に優れ、コスト低減を図り、環境問題にも配慮した感染性廃棄物の回収容器を提供する。【解決手段】感染性廃棄物を回収して運搬するため、分別回収された原料を含む原料から成形された回収容器であって、開口部と、開口部周縁のフランジ部と、感染性廃棄物を収容する内部空間とを有する容器本体１０と、フランジ部に係脱可能な凹状覆い部が設けられた蓋体２０とからなる。又、容器本体には、フランジ部の上部に方形状に形成された方形周縁溝１７と、外壁部の所定の位置に、係止穴部が形成された係止部１４とが設けられ、蓋体には、凹状覆い部の下面に、方形周縁溝に対向するように、方形状に形成された方形状凸部２３と、係止穴部に対向するとともに凹状覆い部の端部から突出し、係止穴部に係脱可能な係止爪部２５とを設ける。容器本体に蓋体を固定したとき、方形周縁溝と方形状凸部とが密接し内部空間を密封する。【選択図】図４
0003165326.tif 000002
【実用新案登録請求の範囲】
【請求項１】
感染性廃棄物を回収して運搬するため、リサイクルにより分別回収された原料を含む原料から成形された回収容器であって、
上部に形成された開口部と、前記開口部周縁に形成されたフランジ部と、前記感染性廃棄物を収容するための内部空間とを有する容器本体と、
前記容器本体の前記開口部を覆うものであって、前記フランジ部に係脱可能な凹状覆い部が設けられた蓋体とからなり、
前記容器本体には、前記フランジ部の上部に、溝部が方形状に形成された方形周縁溝と、外壁部の所定の位置に、係止穴部が形成された係止部とが設けられ、
前記蓋体には、前記凹状覆い部の下面に、前記方形周縁溝に対向するように、凸部が方形状に形成された方形状凸部と、前記係止穴部に対向するとともに前記凹状覆い部の端部から突出し、前記係止穴部に係脱可能な係止爪部とが設けられ、
前記係止部に前記係止爪部が係止され、前記容器本体に前記蓋体が固定されたとき、前記方形状凸部が圧縮されるとともに、前記方形状凸部及び前記方形周縁溝の当接部が変形して密接し、前記内部空間を密封状態にする
ことを特徴とする感染性廃棄物の回収容器。
【請求項２】
請求項１に記載された感染性廃棄物の回収容器において、
前記方形周縁溝は、断面形状がＶ字状の溝が前記フランジ部に形成されたものである
ことを特徴とする感染性廃棄物の回収容器。
【請求項３】
請求項２に記載された感染性廃棄物の回収容器において、
前記方形状凸部は、先端部が、前記方形周縁溝の前記溝の両側の溝面に、各々、密接可能な部位が形成された凸部である
ことを特徴とする感染性廃棄物の回収容器。
【請求項４】
請求項３に記載された感染性廃棄物の回収容器において、
前記方形状凸部は、先端部が、断面視で、円形状、矩形形状、台形形状、半楕円形状、及び、半長円形状から選択される一つの形状をした凸部である
ことを特徴とする感染性廃棄物の回収容器。
【請求項５】
感染性廃棄物を回収して運搬するため、リサイクルにより分別回収された原料を含む原料から成形された回収容器であって、
上部に形成された開口部と、前記開口部周縁に形成されたフランジ部と、前記フランジ部の下部の所定の位置に形成される係止部と、前記感染性廃棄物を収容するための内部空間とを有する容器本体と、
前記容器本体の前記開口部を覆うものであって、前記フランジ部に係脱可能な凹状覆い部が設けられた蓋体とからなり、
前記凹状覆い部は、前記容器本体の内壁部と嵌合可能な内板部と、前記内板に連続する上板部と、前記上板部に連続するとともに前記内板部の外方に位置する外板部とからなり、
前記外板部は、下方に前記係止部に係止可能な係止爪部が、内周面に、前記容器本体の前記係止部に前記蓋体の前記係止爪部が係止されたとき、前記フランジ部の上側外周縁部と密接可能な第１凸部が設けられたものであり、
前記係止部に前記係止爪部が係止され、前記容器本体に前記蓋体が固定されたとき、前記容器本体の内壁面と前記内板部の外周面、及び、前記フランジ部の上側外周縁部と前記第１凸部とが密接し、前記内部空間を密封状態にする
ことを特徴とする感染性廃棄物の回収容器。
【請求項６】
請求項５に記載された感染性廃棄物の回収容器において、
前記フランジ部は、側板側より外周縁側が所定量高い傾斜になるように形成されているものである
ことを特徴とする感染性廃棄物の回収容器。
【請求項７】
請求項３から６のいずれか１項に記載された感染性廃棄物の回収容器において、
前記容器本体の底部には、部分的に外方に突出した転倒防止部が形成されている
ことを特徴とする感染性廃棄物の回収容器。
【請求項８】
請求項１から７のいずれか１項に記載された感染性廃棄物の回収容器において、
前記原料は、分別回収されたポリプロピレン、及び／または、分別回収されたポリエチレンの混合ピレットを含む原料である
ことを特徴とする感染性廃棄物の回収容器。
【考案の詳細な説明】
【技術分野】
【０００１】
本考案は、病院、診療所、介護老人保健施設等医療関係機関で使用される医療廃棄物（感染症医療廃棄物）を回収するための感染性廃棄物の回収容器に関する。さらに詳しくは、耐衝撃性、耐久性、密閉性、使い勝手等回収容器としての性能に優れ、構成を簡素にしてコスト低減を図り、かつ、リサイクルにより分別回収された再生材を活用して環境問題に配慮した感染性廃棄物の回収容器に関する。
【背景技術】
【０００２】
医療関係機関から廃棄処理される感染性廃棄物は、保管、収集運搬及び処分に関し適正に行われることが求められている。そのための「廃棄処理法に基づく感染性廃棄物処理マニュアル」が環境省から発行されている。感染性廃棄物の収集運搬を行う場合は、必ず容器に収納して収集運搬することになっている。そのため、この容器には、
「（１）密閉できること。  （２）収納しやすいこと。  （３）損傷しにくいこと。」が要求されている。
【０００３】
また、感染性廃棄物の処分では、
「１．感染性廃棄物は、最終処分を行う前に焼却設備等によって処分しなければならない。
２．焼却設備で焼却する場合又は溶融設備で溶融する場合は、梱包されたままの状態で行うものとする。」とされている。言い換えると、焼却設備で焼却する場合、容器も感染性廃棄物といっしょに焼却処分される。
【０００４】
このように、感染性廃棄物の回収容器には、臭い漏れ、液漏れを完全に防止する密封性、注射針などの貫通を防ぐ強度性、運搬時の安定した積載性、焼却時に有害物質を発生しないこと等が求められている。
この回収容器（運搬用容器）では、蓋の封止構造のシール性を確実にするための技術がいろいろと提案されている。例えば、容器本体のフランジ部の天面に、シール部材を受けるための凹みを形成しシール部材の移動を防止した運搬用容器における蓋の封止構造に関する技術が知られている（例えば、特許文献１参照）。
【０００５】
また、互いに対向する蓋の天井面と容器本体の天面とのうちどちらか一方に突設体を形成した運搬用容器における蓋の封止構造に関する技術が知られている（例えば、特許文献２参照）。さらに、蓋の凹状係止部の内方側肩部と、容器本体のフランジ部の天井面との間の距離が略均一となるように、内方側肩部をフランジ部側に膨出させて形成した運搬用容器における蓋の封止構造に関する技術が知られている（例えば、特許文献３参照）。
【０００６】
一方、複数の異種プラスチック及び不溶解性物質が含まれるプラスチック廃棄物から医療系廃棄物容器を製造する方法に関する技術が知られている（例えば、特許文献４参照）。
【先行技術文献】
【特許文献】
【０００７】
【特許文献１】特開２００３−８１３０６号公報
【特許文献２】特開２００３−８１３０７号公報
【特許文献３】特開２００３−９５２９４号公報
【特許文献４】特開２００４−３５１６４号公報
【考案の概要】
【考案が解決しようとする課題】
【０００８】
しかしながら、回収容器は、感染性廃棄物とともに焼却されてしまうものであるため、構造が簡単で、安価に提供できるものが求められている。言い換えると、シール、パッキンなどを設けることなく、密封性、強度、積載性に優れた容器本体、蓋体からなる回収容器が、射出成形等で容易に製造でき、コスト低減を図ることができるものであることが好ましい。前述した特許文献１〜３はこのようなことを解決するための技術ではない。また、特許文献４の技術は、再生プラスチックから容器本体を成形する製造方法について記載されているが、容器本体と密閉蓋を固定する構造に関する技術については全く開示されていない。また、この特許文献４には、密閉する構造について、密閉蓋にはパッキンなどを設けて容器本体との密着性を向上させる（段落番号０００９参照）と記載されており、パッキンを必要とするものである。
【０００９】
一方、リサイクルにより分別回収された原料〔例えば、容器リサイクル法により分別回収された容器包装材（自治体の容器包装リサイクル原料）〕を活用するなどして、環境問題に配慮した回収容器の開発が要望されている。さらに、医療現場に従事する関係者（医療関係者）が、使い勝手のよい回収容器であることも要求されている。
本考案の目的は、密封性、強度、使い勝手に優れ、構成を簡素にしてコスト低減を図るとともに、リサイクルにより分別回収された原料を活用して環境問題にも配慮することができる感染性廃棄物の回収容器を提供することにある。
【課題を解決するための手段】
【００１０】
本考案は、前記目的を達成するために次の手段をとる。
本考案１の感染性廃棄物の回収容器は、
感染性廃棄物を回収して運搬するため、リサイクルにより分別回収された原料を含む原料から成形された回収容器であって、上部に形成された開口部と、前記開口部周縁に形成されたフランジ部と、前記感染性廃棄物を収容するための内部空間とを有する容器本体と、前記容器本体の前記開口部を覆うものであって、前記フランジ部に係脱可能な凹状覆い部が設けられた蓋体とからなり、前記容器本体には、前記フランジ部の上部に、溝部が方形状に形成された方形周縁溝と、外壁部の所定の位置に、係止穴部が形成された係止部とが設けられ、前記蓋体には、前記凹状覆い部の下面に、前記方形周縁溝に対向するように、凸部が方形状に形成された方形状凸部と、前記係止穴部に対向するとともに前記凹状覆い部の端部から突出し、前記係止穴部に係脱可能な係止爪部とが設けられ、前記係止部に前記係止爪部が係止され、前記容器本体に前記蓋体が固定されたとき、前記方形状凸部が圧縮されるとともに、前記方形状凸部及び前記方形周縁溝の当接部が変形して密接し、前記内部空間を密封状態にすることを特徴とする。
【００１１】
本考案２の感染性廃棄物の回収容器は、本考案１において、
前記方形周縁溝は、断面形状がＶ字状の溝が前記フランジ部に形成されたものであることを特徴とする。
【００１２】
本考案３の感染性廃棄物の回収容器は、本考案２において、
前記方形状凸部は、先端部が、前記方形周縁溝の前記溝の両側の溝面に、各々、密接可能な部位が形成された凸部であることを特徴とする。
【００１３】
本考案４の感染性廃棄物の回収容器は、本考案３において、
前記方形状凸部は、先端部が、断面視で、円形状、矩形形状、台形形状、半楕円形状、及び、半長円形状から選択される一つの形状をした凸部であることを特徴とする。
【００１４】
本考案５の感染性廃棄物の回収容器は、
感染性廃棄物を回収して運搬するため、リサイクルにより分別回収された原料を含む原料から成形された回収容器であって、上部に形成された開口部と、前記開口部周縁に形成されたフランジ部と、前記フランジ部の下部の所定の位置に形成される係止部と、前記感染性廃棄物を収容するための内部空間とを有する容器本体と、前記容器本体の前記開口部を覆うものであって、前記フランジ部に係脱可能な凹状覆い部が設けられた蓋体とからなり、前記凹状覆い部は、前記容器本体の内壁部と嵌合可能な内板部と、前記内板に連続する上板部と、前記上板部に連続するとともに前記内板部の外方に位置する外板部とからなり、前記外板部は、下方に前記係止部に係止可能な係止爪部が、内周面に、前記容器本体の前記係止部に前記蓋体の前記係止爪部が係止されたとき、前記フランジ部の上側外周縁部と密接可能な第１凸部が設けられたものであり、前記係止部に前記係止爪部が係止され、前記容器本体に前記蓋体が固定されたとき、前記容器本体の内壁面と前記内板部の外周面、及び、前記フランジ部の上側外周縁部と前記第１凸部とが密接し、前記内部空間を密封状態にすることを特徴とする。
【００１５】
本考案６の感染性廃棄物の回収容器は、本考案５において、
前記フランジ部は、側板側より外周縁側が所定量高い傾斜になるように形成されているものであることを特徴とする。
【００１６】
本考案７の感染性廃棄物の回収容器は、本考案３から６において、
前記容器本体の底部には、部分的に外方に張り出した転倒防止部が形成されていることを特徴とする。
【００１７】
本考案８の感染性廃棄物の回収容器は、本考案１から７において、
前記原料は、分別回収されたポリプロピレン、及び／または、分別回収されたポリエチレンの混合ピレットを含む原料であることを特徴とする。
【考案の効果】
【００１８】
本考案の感染性廃棄物の回収容器は、容器本体、蓋体が、リサイクルにより分別回収された原料を含む原料から成形されたものである。また、この感染性廃棄物の回収容器は、蓋固定手段、密封手段を構成する各部位が、各々、容器本体、蓋体に一体に形成されている。そして、容器本体に蓋体を被せ、所定の力で押し込むことにより、蓋固定手段により容器本体に蓋体が固定され、密封手段により容器本体の内部空間（容器本体内の収容部）が密封される。この容器本体、蓋体は、生産性の高い射出成形で製造されるものであり、高品質のものを量産することができるので製造価格を安価にでき、生産性の向上が図れ、経済的効果が大きい。
【００１９】
また、この感染性廃棄物の回収容器は、容器本体、蓋体のみからなる簡素な構成のものであり、パッキン、シール部材等の部材が不要な構成になっている。このようなリサイクルにより分別回収された原料（リサイクル原料）を含む原料から成形された容器本体、蓋体のみの構成になっていることは、焼却処理してしまう回収容器として最適なことであり、最小限の構成のものの焼却処理しか行わないことの積み重ねが、医療現場で多量に使用される回収容器において大きな効果をもたらす。さらに、この容器本体、蓋体は、リサイクル原料を含む原料を使用して射出成形されているものであり、リサイクル原料の有効活用で、環境に優しいものとなる。そのうえ、このリサイクル原料を含む原料（例えば、混合ペレットからなる原料、混合ペレットを含む原料）から成形された感染性廃棄物の回収容器は、焼却炉で焼却する際の燃焼温度が低く、焼却処理中に燃焼炉等を痛めることが発生しにくい。
【００２０】
この感染性廃棄物の回収容器は、合成樹脂製で所定の板厚を有するものであり、密封性、機械的強度（例えば、耐衝撃性、耐久性）、剛性等に優れ、医療現場に従事する関係者（医療関係者）等の安全性と、施設内における感染性廃棄物の安全、安心な管理を行うことができる。さらに、この感染性廃棄物の回収容器は、回収容器への接近性向上と、転倒防止とを両立させており、使いやすさ、作業性等の向上が図られている。すなわち、この感染性廃棄物の回収容器は、使い勝手、利便性等に優れた容器とすることができる。
【図面の簡単な説明】
【００２１】
【図１】図１は、本考案の実施の形態１の感染性廃棄物の回収容器を示す側面図である。
【図２】図２は、実施の形態１の感染性廃棄物の回収容器を示す平面図である。
【図３】図３は、図１をＣ−Ｃ線で切断した部分断面図である。
【図４】図４は、図２をＡ−Ａ線で切断した部分断面図であり、容器本体に蓋体を密閉、固定させている蓋固定状態を示している。
【図５】図５は、図２をＢ−Ｂ線で切断した部分断面図であり、蓋固定状態を示している。
【図６】図６は、図２をＡ−Ａ線で切断した部分断面図であって、容器本体に蓋体を密閉させる前の被せ係合状態を示している。
【図７】図７は、回収容器の密封手段の断面図であって、（ａ）は容器本体に蓋体を密閉させている状態を、（ｂ）は容器本体に蓋体を密閉させる前の状態を示している。
【図８】図８は、本考案の実施の形態２の感染性廃棄物の回収容器を示す部分断面図であって、（ａ）は容器本体に蓋体を密閉させている状態を、（ｂ）は容器本体に蓋体を密閉させる前の状態を示した部分断面図である。
【図９】図９は、本考案の実施の形態３の感染性廃棄物の回収容器を示す部分断面図であって、容器本体に蓋体を被せようとしている状態を示している。
【図１０】図１０は、実施の形態３の感染性廃棄物の回収容器を示す部分断面図であって、容器本体に蓋体を被せ、押し込んでいる途中の状態を示している。
【図１１】図１１は、実施の形態３の感染性廃棄物の回収容器を示す部分断面図であって、容器本体に蓋体を密閉、固定させている状態を示している。
【図１２】図１２は、実施の形態３の感染性廃棄物の回収容器の蓋体の係止爪部近傍を部分的に示す斜視図である。
【図１３】図１３は、実施の形態３の感染性廃棄物の回収容器の容器本体の係止部近傍を部分的に示す斜視図である。
【考案を実施するための形態】
【００２２】
以下、本考案の実施の形態を図面に基づいて説明する。
図１〜図７は、本考案の実施の形態１の感染性廃棄物の回収容器を示す図であって、図１は、感染性廃棄物の回収容器の側面図、図２は、感染性廃棄物の回収容器の平面図である。図３は、図１をＣ−Ｃ線で切断した部分断面図である。図４は、図２をＡ−Ａ線で切断した部分断面図、図５は、図２をＢ−Ｂ線で切断した部分断面図であり、容器本体に蓋体を密閉、固定させている蓋固定状態を示している。図６は、図２をＡ−Ａ線で切断した部分断面図であって、容器本体に蓋体を密閉させる前の被せ係合状態を示している。図７は、回収容器の密封手段の部分断面図であって、（ａ）は容器本体に蓋体を密閉させている状態を、（ｂ）は容器本体に蓋体を密閉させる前の状態を示している。
【００２３】
〔実施の形態１〕
本考案の実施の形態１の感染性廃棄物の回収容器について説明を行う。この実施の形態１の感染性廃棄物の回収容器（以下、回収容器と記載）１は、容器本体１０と蓋体２０とから構成されている。
容器本体１０、蓋体２０は、合成樹脂製のもので、リサイクルにより分別回収された原料を含む原料から射出成形、プレス成形等で成形されている。なお、以下に行う実施の形態１〜３の説明では、容器本体１０、蓋体２０が、容器リサイクル法により分別回収された容器包装材（自治体の容器包装リサイクル原料）であるポリプロピレン（ＰＰ）、ポリエチレン（ＰＥ）の混合ペレットを所定の割合（例えば、９６％）含む原料を使用して射出成形で成形されているものとして説明を行う。このようにリサイクルにより分別回収された原料（リサイクル原料）を有効活用した合成樹脂製とすることで地球環境に優しいものとすることができる。また、混合ペレットを含む原料から成形されたものは、ポリプロピレン、ポリエチレン等のバージンペレットで成形されたものより、若干、強度が低下するが、所定の厚み（例えば、バージンペレットのものの１．２〜２倍の厚み、好ましくは１．２〜１．５倍の厚み）のものとすれば問題は生じない。
【００２４】
容器本体１０は、底板１９、底板１９から四方に立設されている側板１１、側板１１に連続するように設けられているフランジ部１６等から構成されている。側板１１は、側面視において、底板１１側よりフランジ部１６側のほうが所定量広がっているように立設されている。平面視長方形状に、四方に立設された側板１１と底板１９とで区画形成される内部空間が、感染性廃棄物、いわゆる医療系廃棄物等廃棄物を収容するための収容部１８となる。底板１９と側板１１との間には、リブ１９ｂが所定の位置に設けられ、容器本体１０の剛性を向上させている。また、側板１１は、フランジ部１６側（上部側）が使用する医療現場に従事する関係者（例えば、医療関係者、医療従事者であり、以下医療関係者と記載する）側に所定の角度傾斜しているとともに、底板１９と側板１１とのつなぎ目の部分はＲ形状になっており、使用する医療関係者の足のつま先部等と干渉しにくくなり、容器本体１０への接近性の向上を図っている。この容器本体１０は、リブ１９ｂが容器本体１０の内側に形成されており接近性を妨げることがない。さらに、底板１９の所定の位置には、外方に張り出すように形成された転倒防止部１９ａが設けられており、接近性の向上と転倒防止が両立するようになっている（図１、３参照）。
【００２５】
側板１１の内壁面の上部は、廃棄物を投入するための開口部１１ａとなっている。側板１１の上部の外壁面の周縁には、フランジ部１６が形成されている。フランジ部１６は、側板１１から外方に張り出すように、平面視長方形状に立設された四方の側板１１の上部に連続するように形成されている。フランジ部１６の上面には、断面が所定の角度（例えば、８０〜９０度）を有するＶ字状に形成された溝であって、方形状に、連続するように形成された方形周溝部１７が設けられている。
【００２６】
蓋体２０は、蓋本体２１と、この蓋本体２１の周縁に連続するように、容器本体１０のフランジ部１６を覆うように、下側（容器本体１０側）が開口している凹状部が形成された凹状覆い部２２が形成されている。蓋体２０は、蓋本体２１の中央部に長手方向に延びるように、掴み部２８が形成されている。容器本体１０の収容部１８内に廃棄物を廃棄する場合、掴み部２８を掴んで蓋体２０を持ち上げ、開口部１１ａを開口状態にし、開口部１１ａから廃棄物を投入して廃棄する。蓋体２０の蓋本体２１の下部には、蓋係合部２１ａが形成されている。この蓋係合部２１ａは、蓋体２０が容器本体１０に対して水平方向にずれようとしたとき、容器本体１０の側板１１の内壁面と当接することで、蓋体２０が容器本体１０から外れにくくするものである。
【００２７】
方形状凸部２３は、凸部が方形状に連続するように、蓋体２０に一体に形成されたものである。方形状凸部２３の先端部（下端）２３ａは、断面が所定の寸法Ｒを有する半円形状に形成されている（図６、７参照）。この方形状凸部２３の先端部のＲ形状は、半円形状の２位置において、方形周溝部１７の断面Ｖ字状の溝の両方の溝面に、各々、連続して密接するようにして２重に密接させ、容器本体１０に対して蓋体を密閉できる構成になっている。このようにすることで、確実に、信頼性高く、容器本体１０に蓋体２０を密閉させ、収容部１８を密封できるように構成されている。
【００２８】
方形周溝部１７と方形状凸部２３とは、容器本体１０に蓋体２０を被せて、後述する蓋固定手段３０で、容器本体１０に蓋体２０を固定したとき、容器本体１０に蓋体２０を密閉させ、収容部１８を密封状態にするための密封手段３５を構成するものである。密封手段３５は、図６、図７（ｂ）の状態から図４、図７（ａ）の状態にしたとき密封状態となる。この密封状態のとき、図７（ａ）に示すように、方形状凸部２３が突出方向に圧縮変形（図７において、ｈ２からｈ１に圧縮変形）されるとともに、方形状凸部２３、方形周溝部１７の当接部及び当接部近傍が変形する。このことにより、方形周溝部１７の溝面と方形状凸部２３のＲ形状の先端部２３ａとが確実に密接し、容器本体１０のフランジ部１６と蓋体２０の凹状覆い部２２との間から、容器本体１０の収納部１８内の血液など感染性病原体を含む液体等が、回収容器１の外部に漏洩することを確実に防止するようにしている。また、図４に示すように、方形状凸部２３が、Ｒ形状の２位置において、方形周溝部１７のＶ字状の溝の両方の溝面に、各々、連続するように密接しているので、２つの方形状の線上の位置において、２重に密接して、収容部１８を密封しているような状態になっている。
【００２９】
側板１１の外壁面の所定の位置には、係止穴部１４ａが形成された係止部１４が設けられている。蓋体２０の凹状覆い部２２には、係止穴部１４ａと対向する位置に係止爪部２５が容器本体１０側に突出するように設けられている。係止爪部２５には、先端側にくさび状先端部２５ａが形成されている。くさび状先端部２５ａには、先端側の緩い傾斜を持つ第１傾斜面部２５ｃと、この第１傾斜面部２５ｃに連続するともに第１傾斜面部２５ｃより大きい傾斜角度を持つ第２傾斜面部２５ｄと、第２傾斜面２５ｄ後部の係止端部２５ｂ等が形成されている。また、側板１１には、蓋体２０の係止爪部２５に対応する位置にリブ１１ｂが設けられており、側板１１の剛性を向上させている（図４、６参照）。また、リブ１１ｂは、係止爪部２５が所定量以上変形しないようにするストッパの作用も行う。
【００３０】
第１傾斜面部２５ｃは、容器本体１０に蓋体２０を被せている状態のとき、係止部１４の係止穴部１４ａに当接して、蓋体２０が容器本体１０から容易に外れないような被せ係合状態にするためのものである（図６参照）。また、この被せ係合状態から、医療関係者が容器本体１０に対して蓋体２０を持ち上げると、開口部１１ａから廃棄物を投入して容器本体１０の内部空間である収容部１８に収容する廃棄動作が行えるようになっている。
【００３１】
容器本体１０内に廃棄物が一杯になり、回収容器１を回収、運搬する場合には容器本体１０に蓋体２０が確実に固定され、運搬時に絶対に外れないようにする必要がある。この場合には、医療関係者、回収処理関係者等が、図６に示した容器本体１０と蓋体２０との被せ係合状態から、蓋体２０をさらに押し込むとよい。係止爪部２５は、係止部１４に、第１傾斜面部２５ｃで係合されていた状態から、第２傾斜面部２５ｄが当接するようになる。さらに蓋体２０を押し込むと、係止爪部２５が容器本体１０側に弾性変形し押し込まれる。係止部１４の係止穴部１４ａに第２傾斜面部２５ｄが挿通すると、係止爪部２５は弾性力により元の状態に戻り、係止端部２５ｂが係止部１４の下側端面１４ｂに係止される（図４参照）。言い換えると、容器本体１０に蓋体２０がしっかりと固定された蓋固定状態となる。
【００３２】
この蓋固定状態は、回収容器１の使用、回収、運搬、焼却処理等を行う関係者が、人為的に、道具等を使用して係止爪部２５に荷重を加えないと蓋固定状態を解除できないものである。この蓋固定状態のとき、蓋体２０の凹状覆い部２２の外側下端部２６は、容器本体１０に形成され、断面が逆Ｌ字状の蓋体当接部１３に当接し、蓋体２０が容器本体１０に対して必要以上に押し込まれないようにしている。
【００３３】
この蓋固定状態になると、係止端部２５ｂと係止部１４との係止は外れることがなく、係止爪部２５が係止部１４から離脱しないようになっている。蓋本体２０の係止爪部２５と容器本体１０の係止部１４とで、蓋固定手段３０が構成される。この実施の形態では、蓋固定手段３０が、平面視で、各側板１１に２組ずつ、合計８組設けられている（図２参照）。また、蓋固定手段３０が蓋固定状態になったとき、方形周溝部１７と方形状凸部２３とからなる密封手段３５は、内部空間である収容部１８が密封状態となるように構成されている（図４、図７（ａ）参照）。
【００３４】
この回収容器１の使用方法について説明を行う。
容器本体１０の収納部１８内に廃棄物を廃棄可能である場合、蓋体２０は容器本体１０に被せた状態（被せ係合状態）になっている。医療関係者等は、掴み部２８を掴んで蓋体２０を持ち上げ、開口部１１ａから廃棄物を容器本体１０の内部空間である収納部１８に投入して捨てる。容器本体１０内に廃棄物を捨てた後、容器本体１０のフランジ部１６に蓋体２０の凹状覆い部２２を被せ、開口部１１ａを蓋体２０で覆う。このとき、係止爪部２５の第１傾斜面部２５ｃが係止部１４の係止穴部１４ａに係合し、蓋体２０が容器本体１０から外れにくくしている。また、蓋体２０が容器本体１０に対してずれようとしたとき、蓋本体２１の下部の蓋係合部２１ａが、容器本体１０の側面１１の内壁面と当接して、蓋体２０が容器本体１０から外れにくくなっている。
【００３５】
容器本体１０の収納部１８が廃棄物で一杯になったら、蓋体２０を容器本体１０に被せた状態（図６に示す被せ係合状態）から、医療関係者、回収処理関係者が蓋体２０を押し込む。係止爪部２５の第２傾斜面部２５ｄが係止部１４の係止穴部１４ａを通過し、係止爪部２５の係止端部２５ｂが係止部１４の下側端面１４ｂに係止され、蓋固定状態（図４参照）となる。この蓋固定状態のとき、蓋体２０の凹状覆い部２２の外側下端部２６と、容器本体１０の蓋体当接部１３とが当接し、容器本体１０に対する蓋体２０の押し込み位置を定めている。
【００３６】
また、この蓋固定状態のとき、密封手段３５により容器本体１０の収容部１８（内部空間）が密封状態となり、血液等液体が、容器本体１０の収容部１８内から回収容器１の外部に漏洩する恐れが全くない。また、容器本体１０、蓋体２０が合成樹脂で製作された回収容器１は、所定の板厚（例えば、２．５ｍｍ）を有し、機械的強度、剛性に優れ、メス、注射針等鋭利物が貫通する恐れもなく、運搬時に損傷、破損等したりする恐れもない。また、回収容器１は、所定の個数（例えば、３個）以下であれば、積載することが可能である。
【００３７】
容器本体１０と蓋体２０とが蓋固定状態になった回収容器１は、焼却設備（焼却炉）に運搬され焼却処分される。焼却された廃棄物は最終処分地に埋立処分される。なお、この回収容器１は、ポリプロピレン、ポリエチレンの混合ペレットを所定の割合（例えば、９６％）含む原料を使用して射出成形されたものであり、ポリプロピレン、ポリエチレン等のバージンペレットで成形された回収容器に比べ、燃焼火力が約半分であり焼却処理中に燃焼炉等を痛めるおそれがない。
【００３８】
〔実施の形態２〕
図８に従って、本考案の実施の形態２の感染性廃棄物の回収容器について説明を行う。この実施の形態２は、蓋体の構成が変更になったものであり、容器本体は実施の形態１と同一のものである。
図８は、実施の形態２の蓋体の断面図であって、（ａ）は容器本体に蓋体を密閉させた状態を、（ｂ）は容器本体に蓋体を密閉させる前の状態を示した部分断面図である。
【００３９】
前述した実施の形態１では、方形状凸部の先端形状を断面視半円形状のもので説明を行ったが、この実施の形態２のように、蓋体１２０の方形状凸部１２３の先端部１２３ａの形状が、断面視で矩形形状、台形形状等になっているものであってもよい。この蓋体１２０でも、図８（ｂ）に示す状態から図８（ａ）に示す状態に、容器本体１０に対して蓋体１２０を押し込むと、方形状凸部１２３が突出方向に圧縮変形されるとともに、方形状凸部１２３、方形周溝部１７の当接部及び当接部近傍が変形して、方形周溝部１７の溝面と方形状凸部１２３の先端部１２３ａとが確実に密接し、収容部１８を密封状態とする。すなわち、密封手段１３５を構成する方形周溝部１７の溝面と方形状凸部１２３の先端部１２３ａとの間から血液等液体が漏洩することが全くない。また、この蓋体１２０、容器本体１０からなる回収容器でも、方形周溝部１７の溝面と方形状凸部１２３の先端部１２３ａとが、図８（ａ）に示すように、各々、２箇所の位置で密接するので、２重に密接し、収容部１８を密封するように構成されている。なお、方形状凸部１２３は、先端角部に、所定の大きさの面取り、Ｒ面取りが施されていてもよい。
【００４０】
〔実施の形態３〕
図９〜１３に従って、本考案の実施の形態３の感染性廃棄物の回収容器について説明を行う。この実施の形態３は、蓋固定手段、密封手段の構成が変更になったものであり、容器本体、蓋体に、各々、形成される蓋固定手段、密封手段を構成するための部位を除く他の部位は、前述した実施の形態１の回収容器を同一である。そのため、この説明では、同一の部位には、同一の符号を付与して詳細な説明を省略する。
【００４１】
図９〜１１は、実施の形態３の容器本体と蓋体とを部分的に示した断面図であり、図２をＡ−Ａ線で切断した図４、６に相当する断面図である。図９は、容器本体に蓋体を被せようとしている状態を示し、図１０は、容器本体に蓋体を被せ、押し込んでいる途中の状態を示し、図１１は、容器本体に蓋体を被せ、蓋固定手段で固定した状態を示している。図１２は、実施の形態３の感染性廃棄物の回収容器の蓋体の係止爪部近傍を部分的に示す斜視図、図１３は、実施の形態３の感染性廃棄物の回収容器の容器本体の係止部近傍を部分的に示す斜視図である。
【００４２】
この実施の形態３の回収容器２０１は、容器本体２１０と蓋体２２０とから構成されている。
容器本体２１０、蓋体２２０は、実施の形態１、２と同様に、容器リサイクル法により分別回収された容器包装材（自治体の容器包装リサイクル原料）であるポリプロピレン（ＰＰ）、ポリエチレン（ＰＥ）の混合ペレットを所定の割合（例えば、９６％）含む原料を使用して、射出成形によって成形されている。このようにリサイクル原料を有効活用した合成樹脂製とすることで地球環境に優しいものとすることができる。また、混合ペレットで成形されたものは、ポリプロピレン、ポリエチレン等のバージンペレットで成形されたものの１．２〜２倍の厚み（好ましくは１．２〜１．５倍の厚み）となっている。
【００４３】
容器本体２１０は、底板、底板から四方に立設されている側板１１、側板１１に連続するように設けられているフランジ部２１６等から構成されている。側板１１は、側面視において、底板側よりフランジ部２１６側のほうが所定量広がっているように立設されている。平面視長方形状に、四方に立設された側板１１と底板とで区画形成される内部空間が、感染性廃棄物、いわゆる医療系廃棄物等廃棄物を収容するための収容部１８となる。前述したように、容器本体２１０の下部側の構成は、図示していないが、実施の形態１の容器本体１０と同一のものである。
【００４４】
側板１１の内壁面の上部は、廃棄物を投入するための開口部１１ａとなっている。側板１１の上部の外壁面の周縁には、フランジ部２１６が形成されている。フランジ部２１６は、側板１１側より外周縁側が所定量高くなるように所定の角度（例えば、１５〜２０度）傾斜した平面に形成されている。フランジ部２１６は、平面視長方形状に立設された四方の側板１１の上部に連続するように形成されている。また、フランジ部の上側外周縁部２１７は、所定の大きさのＲ形状に形成されている。フランジ部２１６と蓋体当接部１３との間には、爪止め部２１４ａが形成された係止部２１４が設けられている。この係止部２１４は、図１における蓋固定手段３０に相当する位置に、複数個（例えば、この形態では３個）を一組として設けられている（図１３参照）。係止部２１４には、上部側に位置し外板部２２３を変形させるための斜面部２１４ｃ、斜面部２１４ｃに連続する側面であって、外板部２２３を部分的に変形させて係止爪部２２５を通過させるための外端部２１４ｂ、外端部２１４ｂに連続する下面であって、後述する係止爪部２２５を係止する爪止め部２１４ａが設けられている。
【００４５】
蓋体２２０は、蓋本体２１と、この蓋本体２１の周縁に連続するように、容器本体２１０のフランジ部２１６を覆うように、下側（容器本体１０側）が開口している凹状部が形成された凹状覆い部２２２が形成されている。凹状覆い部２２２は、側板１１側に位置する内板部２２４と、内板部２２４から連続するように形成されている上板部、上板部に連続するとともに内板部２２４の外方に位置する外板部２２３とから構成されており、フランジ部２１６に係脱可能な形状となっている。そして、側板１１で構成される容器本体２１０の内壁面と、蓋本体２２０の内板部２２４の外周面２２４ａとは、嵌合可能な構成になっている。
【００４６】
外板部２２３の内周面側には、フランジ部２１６の上側外周縁部２１７と密接する第１凸部２２６と、蓋体２２０を容器本体２１０にはめ込む際、係止爪部２２５が係止部２１４を容易に通過できるように、斜面部２１４ｃ、外端部２１４ｂと係合して外板部２２３を変形させるための第２凸部２２７と、第１凸部２２６と第２凸部２２７の間に形成される溝部２２８とが設けられている。外板部２２３の下部側には、第２凸部２２７から連続するとともに、蓋体当接部１３側に延びるようにスカート部２２９が形成されている。スカート部２２９の係止部２１４に対向する位置には、係止爪部２２５が形成されている。係止爪部２２５の上部側には、爪止め部２１４ａに係止される爪上面部２２５ａが、爪上面部２２５ａに連続する内側面には、内端面部２２５ｂが形成されている。
【００４７】
容器本体２１０に蓋体２２０を被せ、所定の力で押し込んだとき、係止爪部２２５が係止部２１４に係止され、蓋体２２０が容器本体２１０に強固に固定される。また、係止爪部２２５が係止部２１４に係止された状態のとき、係止爪部２２５を係止部２１４から外すことは、係止爪部２２５等を人為的に破損させることなどが必要であり、搬送時等に容器本体２１０から蓋体２２０が外れることがない。この容器本体２１０の係止部２１４と、蓋体２２０の係止爪部２２５とが、蓋固定手段２３０を構成する。
【００４８】
また、容器本体２１０の側板１１、蓋体２２０の内板部２２４は、上方側が大きくなるような緩い角度α（例えば、１〜５度）の傾斜面（テーパ面）となっている。従って、容器本体２１０に蓋体２２０を被せ、所定の力で押し込んで、係止爪部２２５を係止部２１４に係止させた状態のとき、側板１１の内壁面と容器本体２１０の内板部２２４の外周面２２４ａとは緩い角度αの傾斜面同士であり、両方の面が密接する。また、容器本体２１０に蓋体２２０を被せ、所定の力で押し込んで、係止爪部２２５を係止部２１４に係止させた状態のとき、外板部２２３の第１凸部２２６の下側斜面２２６ａとフランジ部２１６のＲ状の上側外周縁部２１７とが密接するように形成されている。
【００４９】
従って、蓋固定手段２３０で容器本体２１０に蓋体２２０を固定したとき、内板部２２４の外周面２２４ａと側板１１の内壁面とからなる第１密封部２３５ｂ、第１凸部２２６の下側斜面２２６ａとフランジ部２１６の上側外周縁部２１７とからなる第２密封部２３５ａが密接し、収容部１８を密封状態にするための密封手段２３５を構成する。言い換えると、容器本体２１０に蓋体２２０を、フランジ部２１６と凹状覆い部２２２を介して密閉させ、収容部（内部空間）１８を密封状態にすることができる。
【００５０】
次に、容器本体２１０に蓋体２２０に被せ、密封、固定する方法について説明を行う。
容器本体２１０の収容部１８に感染性廃棄物が一杯になったら、蓋体２２０の凹状覆い部２２２を容器本体２１０のフランジ部２１６に被せる（図９参照）。蓋体２２０を容器本体２１０に対して押し込む。第１凸部２２６がフランジ部２１６の外周縁部２１６ａに当接して、外板部２２３が外側に開くように弾性変形させる（図１０の２点鎖線で示した状態）。蓋体２２０をさらに押し込むと、係止爪部２２５の内端面部２２５ｂが、斜面部２１４ｃ、外端部２１４ｂに当接して係止爪部２２５近傍の外板部２２３をさらに外側に開くように部分的に弾性変形させる（図１０参照）。
【００５１】
外板部２２３の下端が蓋体当接部１３に当接したとき、係止爪部２２５の内端面部２２５ｂが、係止部２１４の外端部２１４ｂ上を通過する。そして、外板部２２３の弾性変形が元に戻り、係止爪部２２５が係止部２１４の下側に嵌り込む（図１１参照）。また、フランジ部２１６は、溝部２２８内に嵌り込む。このとき、内板部２２４の外周面２２４ａと側板１１の内壁面とからなる第１密封部２３５ｂと、第１凸部２２６の下側斜面２２６ａとフランジ部２１６の上側外周縁部２１７とからなる第２密封部２３５ａとが密接し、容器本体２１０に蓋体２２０が密閉され、収容部１８が密封される。
【００５２】
この実施の形態３の構成では、第１密封部２３５ｂ、第２密封部２３５ａにおいて、２重に密接して収容部１８が密封されているような状態になっている。すなわち、容器本体２１０のフランジ部２１６と蓋体２２０の凹状覆い部２２２との間から、容器本体２１０の収納部１８内の血液など感染性病原体を含む液体等が、回収容器２０１の外部に漏洩することを確実に防止するようにしている。
【００５３】
また、容器本体２１０、蓋体２２０からなる回収容器２０１は、所定の板厚を有し、機械的強度、剛性に優れ、メス、注射針等鋭利物が貫通する恐れもなく、運搬時に損傷、破損等したりする恐れもない。また、回収容器２０１は、所定の個数（例えば、３個）以下であれば、積載することが可能である。
蓋固定状態になった回収容器２０１は、焼却設備（焼却炉）に運搬され焼却処分される。焼却された廃棄物は最終処分地に埋立処分される。なお、この回収容器２０１は、ポリプロピレン、ポリエチレンの混合ペレットを所定の割合（例えば、９６％）含む原料を使用して射出成形されたものであり、ポリプロピレン、ポリエチレン等のバージンペレットで成形された回収容器に比べ、燃焼火力が約半分であり焼却処理中に燃焼炉等を痛めるおそれがない。
【００５４】
以上、本考案の実施の形態を種々説明したが、本考案はこれら実施の形態に限定されることはない。本考案の目的、趣旨を逸脱しない範囲内で変更可能なことはいうまでもない。例えば、方形状凸部の先端部の形状は、断面視した形状が、半楕円形状、半長円形状等のものであってもよい。また、方形状溝部のＶ字状の溝も、所定の角度を有する溝面を有し、方形状凸部の先端部と各々の溝面が当接できるものであればよい。例えば、Ｖ字状の溝は、両方の溝面が交わる部位近傍（溝底）がＲ状のもの（図８参照）や平面状のもの等であってもよい。さらに、回収容器は、いわゆるフットスタンドを採用することで、医療関係者が蓋体に触れることなく蓋体を持ち上げることができ、さらなる安全廃棄作業を行えるようにするとよい。
【符号の説明】
【００５５】
１、１０１、２０１…感染性廃棄物の回収容器
１０、２１０…容器本体
１１…側板
１４…係止部
１６、２１６…フランジ部
１７…方形周溝部
２０、１２０、２２０…蓋体
２１…蓋本体
２２、２２２…凹状覆い部
２３、１２３…方形状凸部
２５、２２５…係止爪部
３０、２３０…蓋固定手段
３５、１３５、２３５…密封手段
【図１】
0003165326.tif 000003
【図２】
0003165326.tif 000004
【図３】
0003165326.tif 000005
【図４】
0003165326.tif 000006
【図５】
0003165326.tif 000007
【図６】
0003165326.tif 000008
【図７】
0003165326.tif 000009
【図８】
0003165326.tif 000010
【図９】
0003165326.tif 000011
【図１０】
0003165326.tif 000012
【図１１】
0003165326.tif 000013
【図１２】
0003165326.tif 000014
【図１３】
0003165326.tif 000015